(57)【要約】【課題】接点部への異物侵入による接触不良を防止しながら、良好なクリック感触が得られる小型の１キーの可動接点テープ、及びこの可動接点テープを用いた小型の１キーのスイッチを提供する。【解決手段】２枚のテープ４０，５０を上下に重ねた構造の可動接点テープ２０は、下部テープ５０のテープ基材５１の上面自体にその全面にわたって点在した突部５４を形成し、この点在した突部５４の相互間で、可動接点３０のドーム状内と可動接点テープ２０の外部との間で空気を出入りさせる通気用の隙間５５を形成し、この可動接点テープ２０の下面を絶縁基板７０の上面に貼着し、可動接点３０を固定接点位置７０ａ，７０ｂに固定し、キースイッチ５０を構成する。【選択図】図１
2011198474.tif 000002
【特許請求の範囲】
【請求項１】
変形可能なバネ性を有するドーム状の金属板からなる１個の可動接点と、樹脂フィルムからなり絶縁性を持ったテープ基材の下面全面に粘着剤を設けてなる１枚の上部テープと、樹脂フィルムからなり絶縁性を持ったテープ基材の下面全面に粘着剤を設けてなり、中央部には前記可動接点が入る上下面貫通の孔を１個設けた１枚の下部テープとを備え、前記上部テープの下面を前記可動接点の上面と前記下部テープの上面とに貼着し、前記可動接点を前記孔に保持した可動接点テープであって、
前記下部テープの前記テープ基材の上面自体にその全面にわたって点在した突部を形成し、点在した前記突部の相互間で、前記可動接点のドーム状内と前記可動接点テープの外部との間で空気を出入りさせる通気用の隙間を形成したことを特徴とする可動接点テープ。
【請求項２】
前記下部テープの前記テープ基材の上面自体をその全面にわたって粗面に形成し、前記粗面の凹凸によって前記下部テープの前記テープ基材の上面自体にその全面にわたって点在した前記突部を形成したことを特徴とする請求項１に記載の可動接点テープ。
【請求項３】
前記下部テープの前記テープ基材の上面自体にその全面にわたって網状の溝を形成し、網状の前記溝によって前記下部テープの前記テープ基材の上面自体にその全面にわたって点在した網目状の前記突部を形成したことを特徴とする請求項１又は２に記載の可動接点テープ。
【請求項４】
請求項１乃至３のいずれか１項に記載の可動接点テープと、上面に固定接点を設けた絶縁基板とを備え、前記可動接点テープの下面を前記絶縁基板の上面に貼着し、前記可動接点を前記固定接点位置に固定したことを特徴とするキースイッチ。
【発明の詳細な説明】
【技術分野】
【０００１】
本発明は、携帯用電話機、ＰＤＡ（情報携帯端末）、デジタルカメラ、デジタルビデオカメラ、携帯用オーディオ、携帯用ゲーム機等の小型電子機器、定置型のＡＶ（音響・映像）機器、ゲーム機等のリモートコントローラ、等のキースイッチ部の構成パーツのひとつ（スイッチユニット）である可動接点テープ、及びこの可動接点テープを用いたキースイッチに関するもので、特に１キー（キー１個分）の可動接点テープ、及びこの可動接点テープを用いた１キーのキースイッチに関するものである。
【背景技術】
【０００２】
近年、例えば携帯用電話機では、小型・薄型化が進むと共に、液晶等の表示画面の大型化、多機能化等により、キースイッチの取り付けスペースが減少している。
【０００３】
キースイッチには小型・薄型化と共に、良好なクリック感触、さらには高い接触信頼性、耐久性が求められており、可動接点にドーム状金属板を使用し、このドーム状金属板を絶縁基板の表面に形成された固定接点上に直接搭載し、テープで固定するものが採用されている。
【０００４】
ドーム状金属板は、バネ性を有し、頂部からの押圧力に対しクリック感触を伴なって変形（反転）するもので、小型スイッチの技術分野において「スナッププレート」、「クリックバネ」、「メタルドーム」、「反転バネ」等と呼ばれるものである。絶縁基板にはＰＣＢ（プリント回路板）、ＰＷＢ（プリント配線板）等のプリント基板（リジット基板，又はＦＰＣ：フレキシブル基板）が使用されている。
【０００５】
キースイッチは、キー複数個分一体型タイプと１キータイプのものがある。キー複数個分一体型タイプは、例えば携帯用電話機やＰＤＡ，リモートコントローラ等に見られるように、機器筐体の一表面に接近して配列（配置）されるキー（キートップ）複数個分の複数個のキースイッチを、キー配列に応じて、一体的に配列構成するものである。これに対し１キータイプは、機器筐体の同一表面でも接近して配列される複数個のキーから少し離れた箇所に配置される１個のキー、機器筐体の他の一表面（例えば側面）に配置される１個のキー、その他、キー数の少ない携帯型オーディオ等の個々のキー、キーが機器筐体の各表面に散在しているデジタルカメラやデジタルビデオカメラ等の個々のキー（但し、デジタルカメラのピントシャッター用途に使用されるもの等、２段動作のものは除く。）、等のキー１個分のキースイッチを構成するものである。
【０００６】
図４乃至図７に可動接点テープ、及びこの可動接点テープを用いたキースイッチの１つの周知例と２つの従来例を示す。
【０００７】
図４は、周知例の可動接点テープの一部分（キー１個分）を示す断面図である。図４に示す可動接点テープ１は、キー複数個分一体型タイプのものであり、複数個の可動接点２と、１枚の大きい下部テープ３と、複数枚の小さい上部テープ４とで構成され、可動接点２にはドーム状金属板が使用される。
【０００８】
樹脂フィルムからなり絶縁性を持ったテープ基材の下面全面に粘着層３ａを設けた大きい下部テープ３には、可動接点２よりも少し大きい上下面貫通の孔３ｂが複数個、キー配列に応じて、配列形成され、各孔３ｂに可動接点２が１個づつ挿入、配設される。
【０００９】
樹脂フィルムからなり絶縁性を持ったテープ基材の下面全面に粘着層４ａを設けた小さい（孔３ａよりやや大きめ）上部テープ４は、可動接点２の上面と下部テープ３の上面とに貼着することで、各可動接点２を個別に下部テープ３に固定し、保持するものである。
【００１０】
こうして可動接点テープ１は、可動接点２を複数個、キー配列に応じて、１枚の大きい下部テープ３に複数枚の小さい上部テープ４を用いて配列固定している。
【００１１】
図５は、周知例のキースイッチの一部分（キー１個分）を示す断面図である。図５に示すキースイッチ５は、キー複数個分一体型タイプのものであり、可動接点テープ１と、大きい絶縁基板６とを組み合わせて構成される。
【００１２】
絶縁基板６の表面には、銅箔等からなる第１の固定接点６ａと第２の固定接点６ｂを１組とする固定接点が複数組、キー配列に応じて、配列形成される。
【００１３】
組み立ては、各可動接点２と各固定接点とを対向させた状態で、下部テープ３の下面（可動接点テープ１の下面）を絶縁基板６の上面に貼着し、個々の可動接点２を各固定接点配置に配列固定することで完了する。この時、個々の可動接点２は、その下端部周縁が第２の固定接点６ｂに常時接触すると共に、ドーム状の頂部が第１の固定接点６ａと間隔を置いて対向する。
【００１４】
こうしてキースイッチ５は、１個の可動接点２と１組の第１，第２の固定接点６ａ，６ｂからなるキースイッチを複数個、キー配列に応じて、配列構成している。
【００１５】
個々のキースイッチ動作は、操作者がキー７を介して上部テープ４の上から可動接点２を押圧すると、可動接点２の上部が凹状に反転し、クリック感触を伴なって第１の固定接点６ａに接触し、第１の固定接点６ａと第２の固定接点６ｂが可動接点２を介して導通する。そして、押圧力を解除すると、可動接点２の上部が元のドーム状に弾性復帰し、第１の固定接点６ａから離れ、第１の固定接点６ａと第２の固定接点６ｂとの導通を断つ。
【００１６】
ここで、可動接点２を収納した孔３ａを上部テープ３と絶縁基板６とで密閉すると、ドーム状内の空気が反転抵抗になることから、折角、可動接点２にドーム状金属板を使用し、ショートスロークで歯切れが良く明瞭なクリック感触を付与しようとしているにもかかわらず、そのクリック感触が鈍くなってしまう。
【００１７】
このため、周知例の可動接点テープ１、及びこの可動接点テープ１を用いた周知例のキースイッチ５では、図４，図５に示すように、１個の可動接点２に対し１個の空気抜きを設けている。この空気抜きは、上部テープ４の側縁近傍に形成された貫通孔４ｂであり、可動接点２を収納した孔３ｂと対向して位置し、この孔３ｂを外部と連通させている。
【００１８】
このような空気抜きを設けると、押圧による可動接点２の反転時、ドーム状内の空気が貫通孔４ｂを通して外部に逃げることから、抵抗のないスナップアクションで良好なクリック感触を得ることができる。そして、押圧解除による可動接点２の弾性復帰時は、ドーム状内に貫通孔４ｂから空気が入る。
【００１９】
こうして周知例の可動接点テープ１を用いた周知例のキースイッチ５は、可動接点２の反転・復帰（スイッチのオン・オフ）により呼吸現象を生じるが、空気抜きの貫通孔４ｂで孔３ｂが直接外部と繋がるため、接点部に外部から塵埃等の異物が侵入しやすく、異物侵入による接触不良が問題となる。また、部品点数が多く、コスト高で、生産性が悪いという問題もある（特許文献１参照）。
【００２０】
そこで、このような問題を解決すべく、従来例の可動接点テープ、及びこの可動接点テープを用いた従来例のキースイッチは、図６，図７に示すように、樹脂フィルムからなり絶縁性を有するテープ基材の下面に粘着剤を設けた１枚のテープに、複数個の可動接点が、キー配列に応じて、直接貼着可能な大きさを付与することで、部品点数の削減を図っている。また、１枚の大きいテープと各可動接点との間、及び同テープと絶縁基板との間に通気性を持たせることで、接点部への異物侵入による接触不良を防止するようにしている。
【００２１】
図６は、１つ目の従来例の可動接点テープの一部分（キー１個分）、及びその可動接点テープを用いた１つ目の従来例のキースイッチの一部分（キー１個分）を示す断面図である。図６に示す可動接点テープ８は、キー複数個分一体型タイプのものであり、複数個の可動接点２と、樹脂フィルムからなり絶縁性を持ったテープ基材の下面に粘着剤９ａを設けた１枚のテープ９とで構成される。
【００２２】
１枚のテープ９には複数個の可動接点２が、キー配列に応じて、直接貼着可能な大きさが付与され、この１枚の大きいテープ９の下面にはそこに設ける粘着剤９ａによって点在した突部９ｂが設けられる。
【００２３】
可動接点２の上面をテープ９の下面とを対向させた状態で、可動接点２をテープ９の下面にマウントし、可動接点２の上面をテープ９の下面に直接貼着する。この時、可動接点２の上面は、点在した突部９ｂによってテープ９の下面に貼着される。
【００２４】
こうして可動接点テープ８は、可動接点２を複数個、キー配列に応じて、１枚の大きいテープ９に直接配列固定すると共に、点在した突部９ｂの相互間で、テープ９と各可動接点２との間に通気用の隙間９ｃを形成している。
【００２５】
また、図６に示すキースイッチ１０は、キー複数個分一体型タイプのものであり、可動接点テープ８と、大きい絶縁基板６とを組み合わせて構成される。
【００２６】
組み立ては、各可動接点２と各固定接点とを対向させた状態で、テープ９の下面（可動接点テープ８の下面）を絶縁基板６の上面に貼着し、個々の可動接点２を絶縁基板６の各固定接点配置に配列固定することで完了する。この時、テープ９の下面は、点在した突部９ｂによって絶縁基板６の上面に貼着される。
【００２７】
こうしてキースイッチ１０は、１個の可動接点２と１組の第１，第２の固定接点６ａ，６ｂからなるキースイッチを複数個、キー配列に応じて、配列構成すると共に、点在した突部９ｂの相互間で、１枚の大きいテープ９と各可動接点２との間、及び同テープ９と絶縁基板６との間に通気用の隙間９ｃを形成している。
【００２８】
図７は、２つ目の従来例の可動接点テープの一部分（キー１個分）、及びその可動接点テープを用いた２つ目の従来例のキースイッチの一部分（キー１個分）を示す断面図である。図７に示す可動接点テープ１１は、キー複数個分一体型タイプのものであり、複数個の可動接点２と、樹脂フィルムからなり絶縁性を持ったテープ基材の下面全面に粘着剤１２ａを均一な厚みで層状に設けた１枚のテープ１２とで構成される。
【００２９】
１枚のテープ１２には複数個の可動接点２が、キー配列に応じて、直接貼着可能な大きさが付与され、この１枚の大きいテープ１２には、凹凸を有する上型とこの上型の凹凸に対応する凹凸を有する下型を用いてテープ１２自体に全面にわたって凹凸が付けられる。
【００３０】
可動接点２の上面とテープ１２の下面とを対向させた状態で、可動接点２をテープ１２の下面にマウントし、可動接点２の上面をテープ１２の下面に直接貼着する。この時、可動接点２の上面は、点在した突部１２ｂ（但し、下向きの突部）によってテープ１２の下面に貼着される。
【００３１】
こうして可動接点テープ１１は、可動接点２を複数個、キー配列に応じて、１枚の大きいテープ１２に直接配列固定すると共に、点在した突部１２ｂの相互間で、テープ１２と各可動接点２との間に通気用の隙間１２ｃを形成している。
【００３２】
また、図７に示すキースイッチ１３は、キー複数個分一体型タイプのものであり、可動接点テープ１１と、大きい絶縁基板６とを組み合わせて構成される。
【００３３】
組み立ては、各可動接点２と各固定接点とを対向させた状態で、テープ１２の下面（可動接点テープ１１の下面）を絶縁基板６の上面に貼着し、個々の可動接点２を絶縁基板６の各固定接点配置に配列固定することで完了する。この時、テープ１２の下面は、点在した突部１２ｂによって絶縁基板６の上面に貼着される。
【００３４】
こうしてキースイッチ１３は、１個の可動接点２と１組の第１，第２の固定接点６ａ，６ｂからなるキースイッチを複数個、キー配列に応じて、配列構成すると共に、点在した突部１２ｂの相互間で、１枚の大きいテープ１２と各可動接点２との間、及び同テープ１２と絶縁基板６との間に通気用の隙間１２ｃを形成している。
【００３５】
このように、図６，図７に示した従来例の可動接点テープ８，１１、及びこの可動接点テープ８，１１を用いた従来例のキースイッチ１０，１３では、１枚のテープ９，１２に、複数個の可動接点２が、キー配列に応じて、直接貼着可能な大きさを付与することで、部品点数の削減を図り、コスト低下、生産性向上を実現する。また、１枚の大きいテープ９，１２と各可動接点２との間、及び同テープ９，１２と絶縁基板６との間に通気性を持たせることで、押圧による可動接点２の反転時、ドーム状内の空気を、テープ９，１２と可動接点２との間やテープ９，１２と絶縁基板６との間を経て外部に逃がし、押圧解除による可動接点２の弾性復帰時、外部からテープ９，１２と絶縁基板６との間やテープ９，１２と可動接点２との間を経てドーム状内に空気を入れ、接点部への異物侵入による接触不良を防止しながら、良好なクリック感触を得ている（特許文献１、２、３参照）。
【先行技術文献】
【特許文献】
【００３６】
【特許文献１】特開２００２−２０３４５４号公報
【特許文献２】国際公開０１／０８０２６３号公報
【特許文献３】特開２００２−１０９９９４号公報
【発明の概要】
【発明が解決しようとする課題】
【００３７】
従来例の可動接点テープ８，１１、及びこの可動接点テープ８，１１を用いた従来例のキースイッチ１０，１３は、キー複数個分一体型タイプのものであるが、１キータイプの可動接点テープに従来例の可動接点テープ８，１１のキー１個分の構造を採用し、１キータイプのキースイッチに従来例のキースイッチ１０，１３のキー１個分の構造を採用し、１キータイプの可動接点テープ、及びこの可動接点テープを用いた１キータイプのキースイッチについても、接点部への異物侵入による接触不良を防止しながら、良好なクリック感触を得るようにすることが考えられる。
【００３８】
しかしながら、従来例の可動接点テープ８，１１、及びこの可動接点テープ８，１１を用いた従来例のキースイッチ１０，１３では、可動接点テープ８，１１の絶縁基板６に対する粘着力（接着力）を犠牲にし（可動接点２に対する粘着力も犠牲にしている。）、接点部への異物侵入による接触不良を防止しながら、良好なクリック感触を得るため、テープ９，１２の絶縁基板６に対する粘着力が非常に弱くなってしまう。
【００３９】
加えて、テープ９，１２にはそれ自体に腰があり、可動接点２のドーム状の頂部に対応するテープ９，１２の頂部と、絶縁基板６の上面に貼着するテープ９，１２の下面との高低差が大きいため、テープ９，１２の頂部が押圧された時、テープ９，１２の絶縁基板６への貼着部にはそこを持ち上げて剥がそうとする力が働きやすくなる。
【００４０】
このようなことから、テープ９，１２の浮きが生じやすく、接点部に異物が侵入しやすくなると共に、可動接点２がキー配置から位置ずれしやすくなり、テープ９，１２の浮きによるクリック感触不良、耐久性低下、接触不良を招きやすいという問題がある。そして、このような問題を解決するためには、テープ９，１２の絶縁基板６への貼着代を大きく取る必要があるので、１キータイプの可動接点テープ、及びこの可動接点テープを用いた１キータイプのキースイッチについて、小型化が極めて困難なるという問題がある。
【００４１】
また、従来例の可動接点テープ８，１１、及びこの可動接点テープ８，１１を用いた従来例のキースイッチ１０，１３では、通気性を持たせる箇所が絶縁基板６の上面であり、第１，第２の固定接点６ａ，６ｂと同じ高さであるため、接点部に外部から異物が侵入すると、第１，第２の固定接点６ａ，６ｂに付着しやすいという問題がある。
【００４２】
さらに、従来例の可動接点テープ８，１１、及びこの可動接点テープ８，１１を用いた従来例のキースイッチ１０，１３では、テープ９，１２の下面を絶縁基板６の上面に貼着する時、テープ９，１２に上方から押圧力が加わえられると、テープ９の下面に設けた粘着剤９ａからなる点在した突部９ｂ，テープ１２自体に付けた凹凸形状の下向きの凸形状からなる点在した突部１２ｂが潰れて通気用の隙間９ｃ，１２ｃが減少乃至塞がれやすく、通気性が低下乃至消失しやすいという問題がある。
【００４３】
そこで、本発明は、上記のような問題に鑑みてなされたもので、接点部への異物侵入による接触不良を防止しながら、良好なクリック感触が得られる小型の１キーの可動接点テープ、及びこの可動接点テープを用いた小型の１キーのスイッチを提供することを目的としている。
【課題を解決するための手段】
【００４４】
上記の目的を達成するため本発明に係る可動接点テープは、変形可能なバネ性を有するドーム状の金属板からなる１個の可動接点と、樹脂フィルムからなり絶縁性を持ったテープ基材の下面全面に粘着剤を設けてなる１枚の上部テープと、樹脂フィルムからなり絶縁性を持ったテープ基材の下面全面に粘着剤を設けてなり、中央部には前記可動接点が入る上下面貫通の孔を１個設けた１枚の下部テープとを備え、前記上部テープの下面を前記可動接点の上面と前記下部テープの上面とに貼着し、前記可動接点を前記孔に保持した可動接点テープであって、前記下部テープの前記テープ基材の上面自体にその全面にわたって点在した突部を形成し、点在した前記突部の相互間で、前記可動接点のドーム状内と前記可動接点テープの外部との間で空気を出入りさせる通気用の隙間を形成したことを特徴とするものである。
【００４５】
また、本発明に係るキースイッチは、上記の本発明に係る可動接点テープと、上面に固定接点を設けた絶縁基板とを備え、前記可動接点テープの下面を前記絶縁基板の上面に貼着し、前記可動接点を前記固定接点位置に固定したことを特徴とするものである。
【発明の効果】
【００４６】
本発明によれば、可動接点テープの上部テープと下部テープとの間に通気性を持たせることができ、この可動接点テープの上部テープと下部テープとの間に持たせた通気性によって、接点部への異物侵入による接触不良を防止しながら、良好なクリック感触を得ることができる。
【００４７】
そして、可動接点テープの上部テープと下部テープとの間に通気性を持たせたことで、絶縁基板の上面に貼着する可動接点テープの下面全面（下部テープの下面）に粘着剤を均一な厚みで層状に設けることができるようになることから、可動接点テープの絶縁基板に対する粘着力を全く犠牲にすることなく（可動接点に対する粘着力も全く犠牲していない。）、接点部への異物侵入による接触不良を防止しながら、良好なクリック感触を得ることができる。
【００４８】
加えて、可動接点テープにはそれ自体に腰があるものの、可動接点のドーム状の頂部に対応する上部テープの頂部と、下部テープの上面に貼着する上部テープの下面との高低差が小さいことから、上部テープの頂部が押圧された時、上部テープの下部テープへの貼着部にはそこを持ち上げて剥がそうとする力が働きにくくなり、勿論、下部テープの絶縁基板への貼着部にもそこを持ち上げて剥がそうとする力が働きにくくなる。
【００４９】
このようなことから、上部テープ及び下部テープの浮きが生じにくく、接点部に異物が侵入しにくくなると共に、可動接点がキー配置から位置ずれしにくくなり、上部テープ及び下部テープの浮きによるクリック感触不良、耐久性低下、接触不良を招きにくくすることができる。このことから可動接点テープの絶縁基板への貼着代を大きく取る必要がなくなり、１キーの可動接点テープ、及びこの可動接点テープを用いた１キーのキースイッチの小型化が容易に行えるようになる。
【００５０】
また、通気性を持たせる箇所が絶縁基板より上方（下部テープの上面）であることから、接点部に外部から異物が侵入したとしても、絶縁基板の上面に設けた固定接点に付着しにくくなる。
【００５１】
さらに、下部テープのテープ基材の上面自体にその全面にわたって点在した突部を形成することから、この点在した突部は樹脂の塊状のものとなり、上部テープの下面を下部テープの上面に貼着する時や可動接点テープの下面を絶縁基板の上面に貼着する時、上部テープに上方から押圧力が加わえられても潰れにくく、通気用の隙間が減少乃至塞がれにくく、通気性が低下乃至消失しにくくなり、必要な通気性を確実に確保しやすくなる。
【００５２】
したがって、接点部への異物侵入による接触不良を防止しながら、良好なクリック感触が得られる小型の１キーの可動接点テープ、及びこの可動接点テープを用いた小型の１キーのキースイッチを提供することができる。
【００５３】
また、本発明において、前記下部テープの前記テープ基材の上面自体をその全面にわたって粗面に形成し、前記粗面の凹凸によって前記下部テープの前記テープ基材の上面自体にその全面にわたって点在した前記突部を形成した場合、又は、前記下部テープの前記テープ基材の上面自体にその全面にわたって網状の溝を形成し、網状の前記溝によって前記下部テープの前記テープ基材の上面自体にその全面にわたって点在した網目状の前記突部を形成した場合、前者では粗面の粗さ（表面粗さ）、後者では溝の深さ・網の目の大きさを調整することによって、可動接点テープの上部テープと下部テープとの間に所望の通気性を持たせることができる。また、前者ではきめ細かい点在した突部が得やすく、高い防塵効果を得ることができると共に、下部テープのテープ基材として市販の樹脂フィルムを使用することができるようになり、コストを抑えることができる。一方、後者では点在した網目状の突部の端面が平らになることから、上部テープの可動接点及び絶縁基板に対する粘着強度を高めることができると共に、必要な通気性をより確実に確保しやすくなり、また、可動接点の周囲に突部が規則的に配列するようになることから、上部テープの可動接点及び絶縁基板に対する粘着強度をさらに高めることができると共に、必要な通気性がどの方向（可動接点を中心とする放射方向）に対しても優劣なく確実に確保しやすくなる。
【図面の簡単な説明】
【００５４】
【図１】本発明の実施形態による可動接点テープを示す断面図である。
【図２】本発明の実施形態による可動接点テープの分解斜視図である。
【図３】本発明の実施形態によるキースイッチを示す断面図である。
【図４】周知例の可動接点テープの一部分（キー１個分）を示す断面図である。
【図５】周知例のキースイッチの一部分（キー１個分）を示す断面図である。
【図６】１つ目の従来例の可動接点テープの一部分（キー１個分）、及びその可動接点テープを用いた１つ目の従来例のキースイッチの一部分（キー１個分）を示す断面図である。
【図７】２つ目の従来例の可動接点テープの一部分（キー１個分）、及びその可動接点テープを用いた２つ目の従来例のキースイッチの一部分（キー１個分）を示す断面図である。
【発明を実施するための形態】
【００５５】
以下、本発明の実施形態による可動接点テープ、及びこの可動接点テープを用いたキースイッチを図１乃至図３を参照し説明する。
【００５６】
図１は、本発明の実施形態による可動接点テープを示す断面図、図２は本発明の実施形態による可動接点テープを示す分解斜視図である。図１、図２に示す可動接点テープ２０は、１キータイプのものであり、１個の可動接点３０と、１枚の上部テープ４０と、１枚の下部テープ５０とで構成される。
【００５７】
可動接点３０には、バネ性を有し、頂部からの押圧力に対しクリック感触を伴なって変形（反転）する円盤状のドーム状金属板が使用される。
【００５８】
ポリエステル等の樹脂フィルムからなり絶縁性を持ったテープ基材５１の下面に粘着剤５２を設けた下部テープ５０は、可動接点３０の周囲に貼着代を確保できる大きさの方形状（１辺の長さが可動接点３０の直径よりも数ミリ程度大きい方形状）に形成される。また、下部テープ５０の中央部には円形の上下面貫通の孔５３が１個設けられる。この孔５３は可動接点３０の直径よりも少し大きい直径を有し、この孔５３に可動接点３０が挿入、配設される。また、下部テープ５０の全体の厚み（孔５３の軸方向の長さ）は可動接点３０の高さよりも少し小さい寸法に設定される。
【００５９】
ポリエステル等の樹脂フィルムからなり絶縁性を持ったテープ基材４１の下面に粘着剤４２を設けた上部テープ４０は、下部テープ５０と略同じ大きさの方形状に形成される。この上部テープ４０は、下面中央部を可動接点３０の上面に粘着剤４２を介して貼着すると共に、下面外側部を下部テープ５０の上面に粘着剤４２を介して貼着し、可動接点３０を下部テープ５０の孔５３に保持している。また、上部テープ４０の全体の厚みは下部テープ５０の全体の厚みよりもさらに小さい寸法に設定される。
【００６０】
このように２枚のテープ４０，５０を上下に重ねた構造（２層構造）の可動接点テープ２０は、下部テープ５０（下層部：２層目）の中央部に可動接点３０が入る上下面貫通の孔５３を設け、この孔５３の上部に上部テープ４０（上層部：１層目）の下面中央部を露出させており、この露出部分に粘着剤４２を介して可動接点３０の上面が貼着され、可動接点３０を孔５３に保持している。
【００６１】
また、２枚のテープ４０，５０を上下に重ねた構造（２層構造）の可動接点テープ２０は、下部テープ５０のテープ基材５１の上面自体（下部テープ５０の上表面）にその全面にわたって点在した突部５４を形成し、この点在した突部５４の相互間で、可動接点３０のドーム状内と可動接点テープ２０の外部（周囲）との間で空気を出入りさせる通気用の隙間５５を形成することで、上部テープ４０と下部テープ５０との間に、接点部への塵埃等の異物侵入による接触不良を防止しながら、良好なクリック感触を得るための通気性を持たせている。
【００６２】
本実施形態では、図２に示すように、下部テープ５０のテープ基材５１の上面自体（下部テープ５０の上表面）にその全面にわたって網状（格子状とも言える。）の溝５５ａを形成し、この網状の溝５５ａによって下部テープ５０のテープ基材５１の上面自体にその全面にわたって点在した網目状の突部５４ａを形成し、この点在した網目状の突部５４ａの相互間（網状の溝５５ａ）で、可動接点３０のドーム状内と可動接点テープ２０の外部（周囲）との間で空気を出入りさせる通気用の隙間５５（網状の溝５５ａ自体）を形成している。なお、図２には個々の網目（突部５４ａ）の形状が四角形の網状の溝５５ａを示しているが、四角形以外の三角形、五角形、六角形のものでもよい。
【００６３】
また、図示しないが、下部テープ５０のテープ基材５１の上面自体（下部テープ５０の上表面）をその全面にわたって粗面に形成し、この粗面の凹凸によって下部テープ５０のテープ基材５１の上面自体にその全面にわたって点在した突部（粗面の凸部）を形成し、この点在した突部の相互間（粗面の凹部）で、可動接点３０のドーム状内と可動接点テープ２０の外部（周囲）との間で空気を出入りさせる通気用の隙間５５（粗面の凹部自体）を形成してもよい。
【００６４】
こうして２枚のテープ４０，５０を上下に重ねた構造（２層構造）の可動接点テープ２０であって、上部テープ４０と下部テープ５０との間に、接点部への塵埃等の異物侵入による接触不良を防止しながら、良好なクリック感触を得るための通気性を持たせた可動接点テープ２０は、上部テープ４０のテープ基材４１の下面全面に粘着剤４２を均一な厚みで層状に設け、可動接点３０の上面との接触面積の減少を皆無とし、下部テープ５０の上面との接触面積の減少、及び加圧による変形を抑えている。また、下部テープ５０のテープ基材５１の下面全面に粘着剤５２を均一な厚みで層状に設け、後述する絶縁基板の上面との接触面積の減少を皆無としている。
【００６５】
図３は、本発明の実施形態によるキースイッチを示す断面図である。図３に示すキースイッチ６０は、１キータイプのものであり、１枚の可動接点テープ２０と、絶縁基板７０とを組み合わせて構成される。
【００６６】
絶縁基板７０にはＰＣＢ（プリント回路板）、ＰＷＢ（プリント配線板）等のプリント基板（リジット基板，又はＦＰＣ：フレキシブル基板）が使用される。この絶縁基板６の表面には、銅箔等からなる第１の固定接点７０ａと第２の固定接点７０ｂを１組とする固定接点（接点形状は両面基板に適用される内外円縁接点、片面基板に適用される内外円縁接点：レジストでギャップ・絶縁を形成するもの、その他、櫛歯接点）が１組形成される。ここで、絶縁基板７０はキー１個分の独立した一枚の絶縁基板の他、例えばフレキシブル基板で見られるように、キー１個分の絶縁基板部がテール部（プリント配線部）同士で繋がれて一体化されている絶縁基板の１個１個の絶縁基板部、キー複数個分一体型タイプのキースイッチにおける絶縁基板等のメインの絶縁基板にテール部（プリント配線部）で繋がれたキー１個分の絶縁基板部等も含まれる。
【００６７】
組み立ては、可動接点３０（孔５３）と固定接点とを対向させた状態で、下部テープ５０の下面（可動接点テープ２０の下面）を絶縁基板７０の上面に貼着し、可動接点３０を固定接点配置に固定することで完了する。この時、可動接点３０は、その下端部周縁が第２の固定接点７０ｂに常時接触すると共に、ドーム状の頂部が第１の固定接点７０ａと間隔を置いて対向する。
【００６８】
こうしてキースイッチ６０は、１個の可動接点３０と１組の第１，第２の固定接点７０ａ，７０ｂからなる１個のキースイッチ（接点部）を構成している。
【００６９】
キースイッチ６０の動作は、操作者がキー８０を介して上部テープ４０の上から可動接点３０の上部（頂部：中心部）を押圧すると、可動接点３０の上部が凹状に反転し、クリック感触を伴なって第１の固定接点７０ａに接触し、第１の固定接点７０ａと第２の固定接点７０ｂが可動接点３０を介して導通する。この時、可動接点３０のドーム内の空気が、可動接点３０の端部から抜け出し、通気用の隙間５５を通り、上部テープ４０と下部テープ５０との間から可動接点テープ２０の外部（周囲)に逃がすようになっている。そして、押圧力を解除すると、可動接点３０の上部が元のドーム状に弾性復帰し、第１の固定接点７０ａから離れ、第１の固定接点７０ａと第２の固定接点７０ｂとの導通を断つ。この時、ドーム状内には、可動接点テープ２０の外部（周囲)から通気用の隙間５５を通り、上部テープ４０と下部テープ５０との間から空気が入るようになっている。
【００７０】
以上、本実施形態の可動接点テープ２０は、変形可能なバネ性を有するドーム状の金属板からなる１個の可動接点３０と、樹脂フィルムからなり絶縁性を持ったテープ基材４１の下面全面に粘着剤４２を設けてなる１枚の上部テープ４０と、樹脂フィルムからなり絶縁性を持ったテープ基材５１の下面全面に粘着剤５２を設けてなり、中央部には可動接点３０が入る上下面貫通の孔５３を１個設けた１枚の下部テープ５０とを備え、上部テープ４０の下面を可動接点３０の上面と下部テープ５０の上面とに貼着し、可動接点３０を孔５３に保持したものであって、下部テープ５０のテープ基材５１の上面自体にその全面にわたって点在した突部５４を形成し、この点在した突部５４の相互間で、可動接点３０のドーム状内と可動接点テープ２０の外部との間で空気を出入りさせる通気用の隙間５５を形成した１キータイプのものである。
【００７１】
また、本実施形態のキースイッチ６０は、上記の本実施形態の可動接点テープ２０と、上面に固定接点７０ａ，７０ｂを設けた絶縁基板７０とを備え、可動接点テープ２０の下面を絶縁基板７０の上面に貼着し、可動接点３０を固定接点位置７０ａ，７０ｂに固定した１キータイプのものである。
【００７２】
本実施形態によれば、可動接点テープ２０の上部テープ４０と下部テープ５０との間に通気性を持たせることができ、この可動接点テープ２０の上部テープ４０と下部テープ５０との間に持たせた通気性によって、接点部への異物侵入による接触不良を防止しながら、良好なクリック感触を得ることができる。
【００７３】
そして、可動接点テープ２０の上部テープ４０と下部テープ５０との間に通気性を持たせたことで、絶縁基板７０の上面に貼着する可動接点テープ２０の下面全面（下部テープ４０の下面）に粘着剤を均一な厚みで層状に設けることができるようになることから、可動接点テープ２０の絶縁基板７０に対する粘着力を全く犠牲にすることなく（可動接点３０に対する粘着力も全く犠牲していない。）、接点部への異物侵入による接触不良を防止しながら、良好なクリック感触を得ることができる。
【００７４】
加えて、可動接点テープ２０にはそれ自体に腰があるものの、可動接点３０のドーム状の頂部に対応する上部テープ４０の頂部と、下部テープ５０の上面に貼着する上部テープ４０の下面との高低差が小さいことから、上部テープ４０の頂部が押圧された時、上部テープ４０の下部テープ５０への貼着部にはそこを持ち上げて剥がそうとする力が働きにくくなり、勿論、下部テープ５０の絶縁基板７０への貼着部にもそこを持ち上げて剥がそうとする力が働きにくくなる。
【００７５】
このようなことから、上部テープ４０及び下部テープ５０の浮きが生じにくく、接点部に異物が侵入しにくくなると共に、可動接点３０がキー８０配置から位置ずれしにくくなり、上部テープ４０及び下部テープ５０の浮きによるクリック感触不良、耐久性低下、接触不良を招きにくくすることができる。このことから可動接点テープ２０の絶縁基板７０への貼着代を大きく取る必要がなくなり、１キータイプの可動接点テープ２０、及びこの可動接点テープ２０を用いた１キータイプのキースイッチ６０の小型化が容易に行えるようになる。
【００７６】
また、通気性を持たせる箇所が絶縁基板７０より上方（下部テープ５０の上面）であることから、接点部に外部から異物が侵入したとしても、絶縁基板７０の上面に設けた固定接点７０ａ，７０ｂに付着しにくくなる。
【００７７】
さらに、下部テープ５０のテープ基材５１の上面自体にその全面にわたって点在した突部５４を形成することから、この点在した突部５４は樹脂の塊状のものとなり、上部テープ４０の下面を下部テープ５０の上面に貼着する時や可動接点テープ２０の下面を絶縁基板７０の上面に貼着する時、上部テープ５０に上方から押圧力が加わえられても潰れにくく、通気用の隙間５５が減少乃至塞がれにくく、通気性が低下乃至消失しにくくなり、必要な通気性を確実に確保しやすくなる。また、上部テープ４０の下面全面に設けた均一な厚みで層状の密な粘着剤４２は、上部テープ４０の下面を下部テープ５０の上面に貼着する時や可動接点テープ２０の下面を絶縁基板７０の上面に貼着する時、上部テープ４０に上方から押圧力が加わえられても、層形状を保持し続けるのに十分な強度を持つので、点在した突部５４に食い込みにくく、通気用の隙間５５がさらに減少乃至塞がれにくく、通気性がさらに低下乃至消失しにくくなり、必要な通気性をさらに確実に確保しやすくなる。
【００７８】
したがって、接点部への異物侵入による接触不良を防止しながら、良好なクリック感触が得られる小型の１キータイプの可動接点テープ２０、及びこの可動接点テープ２０を用いた小型の１キータイプのキースイッチ５０を提供することができる。また、接点部は、可動接点テープ２０と絶縁基板７０とで覆われることから、防湿、防滴構造になっており、静電気及びノイズにも強くなっている。
【００７９】
また、本実施形態において、下部テープ５０のテープ基材５１の上面自体をその全面にわたって粗面に形成し、この粗面の凹凸によって下部テープ５０のテープ基材５１の上面自体にその全面にわたって点在した突部を形成した場合、又は、下部テープ５０のテープ基材５１の上面自体にその全面にわたって網状の溝５５ａを形成し、この網状の溝５５ａによって下部テープ５０のテープ基材５１の上面自体にその全面にわたって点在した網目状の突部５４ａを形成した場合、前者では粗面の粗さ（表面粗さ）、後者では溝５５ａの深さ・網の目の大きさを調整することによって、可動接点テープ２０の上部テープ４０と下部テープ５０との間に所望の通気性を持たせることができる。また、前者ではきめ細かい点在した突部が得やすく、高い防塵、防湿、防滴効果を得ることができると共に、下部テープ５０のテープ基材５１として市販の樹脂フィルムを使用することができるようになり、コストを抑えることができる。一方、後者では点在した網目状の突部５４ａの端面が平らになることから、上部テープ４０の可動接点３０及び絶縁基板７０に対する粘着強度を高めることができると共に、必要な通気性をより確実に確保しやすくなり、また、可動接点３０の周囲に突部５４ａが規則的に配列するようになることから、上部テープ４０の可動接点３０及び絶縁基板７０に対する粘着強度をさらに高めることができると共に、必要な通気性がどの方向（可動接点３０を中心とする放射方向）に対しても優劣なく確実に確保しやすくなる。
【００８０】
なお、本実施形態はドーム状金属板からなる円盤状の可動接点を備えた方形状の可動接点テープ、及びこの可動接点テープを用いた方形状のキースイッチで本発明の一実施形態を示したが、本発明はそれに限定されることなく、その要旨を逸脱しない範囲内で種々変形実施することができる。例えばドーム状金属板からなる長円形状（小判形）の可動接点を備えた矩形状の可動接点テープ、及びこの可動接点テープを用いた矩形状のキースイッチであってもよい。また、本発明の１キータイプの可動接点テープ構造、及びこの可動接点テープを用いた１キータイプのキースイッチ構造は、キー複数個分一体型タイプの可動接点テープ構造、及びこの可動接点テープを用いたキー複数個分一体型タイプのキースイッチ構造にも適用することができる。
【符号の説明】
【００８１】
２０  可動接点テープ
３０  可動接点
４０  上部テープ
４１  テープ基材
４２  粘着剤
５０  下部テープ
５１  テープ基材
５２  粘着剤
５３  孔
５４  点在した突部
５４ａ  点在した網目状の突部
５５  通気用の隙間
５５ａ  網状の溝
６０  キースイッチ
７０  絶縁基板
７０ａ，７０ｂ  固定接点
【図１】
2011198474.tif 000003
【図２】
2011198474.tif 000004
【図３】
2011198474.tif 000005
【図４】
2011198474.tif 000006
【図５】
2011198474.tif 000007
【図６】
2011198474.tif 000008
【図７】
2011198474.tif 000009